(57)【要約】【課題】  実装後の信頼性を高くした電子部品の封止方法と、それに用いる電子部品を提供する。【解決手段】  電子部品１０と回路基板２０との接続部を樹脂封止するにあたって、  樹脂封止材４０が流入される流路２を備える電子部品１０を回路基板２０に搭載し、  前記電子部品１０の電極１と回路基板２０の導体２１とを導電性接着剤３０を介して接続した後、  樹脂封止材４０を流路２内に流入して充填するとともに、接続部周辺を樹脂封止材４０でコーティングし、電子部品１０と回路基板２０との接続部を樹脂封止する。【選択図】  図１
2005135997.tif 000002
【特許請求の範囲】
【請求項１】
電子部品（１０）と回路基板（２０）との接続部を樹脂封止するにあたって、
樹脂封止材（４０）が流入される流路（２）を備える電子部品（１０）を回路基板（２０）に搭載し、
前記電子部品（１０）の電極（１）と回路基板（２０）の導体（２１）とを導電性接着剤（３０）を介して接続した後、
樹脂封止材（４０）を流路（２）内に流入して充填するとともに、接続部周辺を樹脂封止材（４０）でコーティングし、
電子部品（１０）と回路基板（２０）との接続部を樹脂封止することを特徴とする電子部品の封止方法。
【請求項２】
回路基板（２０）の熱膨張係数が最大である方向に対して、流路（２）の壁面が略垂直に対向するように電子部品（１０）を配置し、
熱膨張によって発生する応力に対して流路（２）の壁面を略垂直に対向させることを特徴とする請求項１に記載の電子部品の封止方法。
【請求項３】
電子部品（１０）と回路基板（２０）との接続部を樹脂封止するための樹脂封止材（４０）が流入され充填される流路（２）を備えることを特徴とする電子部品。
【請求項４】
電子部品（１０）の実装面に対して略垂直に延びる流路（２）を備えることを特徴とする請求項３に記載の電子部品。
【請求項５】
電子部品（１０）の実装面に対して略平行に延びる流路（２）を備えることを特徴とする請求項３に記載の電子部品。
【発明の詳細な説明】
【技術分野】
【０００１】
本発明は、半導体パッケージや半導体チップなどの電子部品を回路基板に実装する技術において、回路基板に搭載した電子部品を樹脂封止する方法およびその電子部品に関するものである。
【背景技術】
【０００２】
半導体パッケージや半導体チップなどの電子部品を回路基板に実装するにあたって、接続部を樹脂封止する技術がある。（例えば、特許文献１を参照）
例えば半導体チップ１００を回路基板２０に実装するにあたって、図５に示すように、半導体チップ１００の電極１０１と回路基板２０の導体２１とを導電性接着剤３０を介して接続し、前記導電性接着剤３０による接続の信頼性を確保するために、接続部周辺に樹脂封止材４０を供給し、この樹脂封止材４０を硬化させて半導体チップ１００と回路基板２０との接続部を樹脂封止していた。
特に、メンブレムスイッチ基板やフレキシブル基板などの回路基板２０に半導体チップ１００を実装する場合、半田付けによる強固な接続ができないため、導電性接着剤３０による接続だけでなく、接続部周辺に供給した樹脂封止材４０によって接続部を樹脂封止することによって、半導体チップ１００と回路基板２０との接続の信頼性を確保する必要があった。
【特許文献１】特開平１０−１１６８５６号公報
【発明の開示】
【発明が解決しようとする課題】
【０００３】
しかしながら、半導体チップ１００と回路基板２０との接続部周辺に供給した樹脂封止材４０を熱硬化して前記半導体チップ１００と回路基板２０との接着の強化を図っても、樹脂封止材４０の熱硬化時若しくは実装後に熱膨張によって発生する応力により、半導体チップ１００と樹脂封止材４０とが剥離し、半導体チップ１００の電極１０１が露出したり、樹脂封止材４０の剥離とともに導電性接着剤３０が電極１０１から剥離して半導体チップ１００と回路基板２０とに電気的断線が生じ、実装不良や実装後の信頼性が低下していた。
【課題を解決するための手段】
【０００４】
そこで本発明は、電子部品と回路基板との接続部を樹脂封止するにあたって、樹脂封止材が流入される流路を備える電子部品を回路基板に搭載し、前記電子部品の電極と回路基板の導体とを導電性接着剤を介して接続した後、樹脂封止材を流路内に流入して充填するとともに、接続部周辺を樹脂封止材でコーティングし、電子部品と回路基板との接続部を樹脂封止する。
【発明の効果】
【０００５】
本発明によれば、電子部品に形成した流路に樹脂封止材を充填することによって、電子部品と樹脂封止材との接着が強化されるとともに、熱膨張により発生する応力を分散させることができるため、電子部品と樹脂封止材とが剥離して電子部品の電極が露出したり、封止樹脂材の剥離とともに導電性接着剤が電極から剥離して電気的断線が生じたりする虞がない。
【発明を実施するための最良の形態】
【０００６】
本発明による電子部品の封止方法およびその電子部品について、図１〜図４を参照して説明する。
【実施例１】
【０００７】
図１及び図２は、本発明の第１実施例による電子部品の封止方法およびその電子部品の構造を説明する図である。
図１に示す実施例では、実装面（チップ下面）に電極１を備え、かつ前記実装面（チップ下面）に対して略垂直に延びる流路２を備える半導体チップ１０を使用した。そして当該半導体チップ１０をメンブレムスイッチ基板やフレキシブル基板などの回路基板２０にフリップチップ実装し、この接続部を樹脂封止材４０で樹脂封止した。
なお、半導体チップ１０の実装面（チップ下面）にある電極１とは別の場所を開口させるようにして、前記実装面（チップ下面）に対して略垂直に延びる貫通孔若しくはスリットによる流路２を形成した。
【０００８】
図２は、図１に示す半導体チップ１０に形成した流路２の例を示す図である。
図２（ａ）に示す半導体チップは、実装面（チップ下面）に対して略垂直に延びる貫通孔を、実装面（チップ下面）の開口からチップ上面の開口に向かって形成し、流路２ａとしたものである。
図２（ｂ）から（ｃ）に示す半導体チップは、実装面（チップ下面）に対して略垂直に延びるスリット（溝）を、半導体チップ１０の側面に沿って形成し、流路２ｂ，２ｃ，２ｄとしたものである。
【０００９】
この実施例による封止方法では、流路２を備える半導体チップ１０をメンブレムスイッチ基板やフレキシブル基板などの回路基板２０に実装するにあたって、半導体チップ１０の実装面（チップ下面）にある電極１と、回路基板２０の導体２１とを導電性接着剤３０を介して接続した後、前記導電性接着剤３０による接続の信頼性を確保するために、接続部周辺に樹脂封止材４０を供給して樹脂封止する。
このとき、樹脂封止材４０を流路２内に流入して充填するとともに、接続部周辺を樹脂封止材４０でコーティングし、この樹脂封止材４０を熱硬化することにより、導電性接着剤３０を介して接続した半導体チップ１０と回路基板２０との接続部を樹脂封止する。
【００１０】
なお、樹脂封止材４０の熱硬化時若しくは実装後に熱膨張によって発生する応力は、樹脂封止された各部材の熱膨張係数の差によって発生する。従って各部材の熱膨張係数の差が大きな方向ほど、より大きな応力が発生し、封止界面にせん断力がはたらいて各部材が剥離する。
つまり、より大きな応力が発生する方向に対して略垂直に対向する封止界面ほど各部材が剥離しやすく、樹脂封止材４０と電子部品１０とが剥離して電子部品１０の電極１が露出したり、封止樹脂材４０の剥離とともに導電性接着剤３０が電極１から剥離して電気的断線が生じる。
【００１１】
そこでこの実施例では、熱膨張によって発生する応力に対して略垂直に対向する壁面を有する流路２を半導体チップ１０に形成するにあたって、より大きな応力が発生する方向に対して略垂直に対向する壁面を有する流路２を形成し、このより大きな応力に略垂直に対向する壁面を有する流路２を備える半導体チップ１０を回路基板２０に搭載して樹脂封止することによって、熱膨張による応力が前記流路２の壁面にかかるように構成した。
なお、前記応力に対して略垂直に対向する壁面には、平面のほかに周面や湾曲面などの曲面も含む。また、より大きな応力に対して略垂直に対向する壁面の面積が大きくなるように、流路２を設けることが好ましい。
【００１２】
これによって、樹脂封止した半導体チップ１０の流路２の壁面に対して大きな応力がかかり、熱膨張によって発生する応力の分散化を図ることができる。
つまりこの実施例による封止方法では、樹脂封止された半導体チップ１０において、電極１や導電性接着剤３０が設けられた部分の封止界面以外の場所に応力を分散させ、樹脂封止材４０と電子部品１０とが剥離して電子部品１０の電極１が露出したり、封止樹脂材４０の剥離とともに導電性接着剤３０が電極１から剥離して電気的断線が生じたりすることを防止する。
【００１３】
なお回路基板２０には、導体２１等の設計によって膨張しやすい（膨張係数が大きい）方向とそうでない方向とがある。そして樹脂封止された各部材の熱膨張によって発生する応力は、各部材による熱膨張係数の差によって発生するため、前記回路基板２０の熱膨張にともなった応力が発生する。つまり、回路基板２０の膨張係数がより大きな方向には、より大きな応力が発生する。
そこで、半導体チップ１０の流路２の壁面が、より大きな応力に対して略垂直に対向するように構成するため、回路基板２０における膨張係数が最大である方向に対して、半導体チップ１０の流路２の壁面が略垂直に対向するように半導体チップ１０を配置することが好ましい。
【実施例２】
【００１４】
次に、本発明の第２実施例による電子部品の封止方法およびその電子部品の構造について、図３及び図４を参照して説明する。
図３に示す実施例では、実装面（チップ下面）に電極１を備え、かつ前記実装面（チップ下面）に対して略平行に延びる流路２を備える半導体チップ１０を使用した。そして当該半導体チップ１０をメンブレムスイッチ基板やフレキシブル基板などの回路基板２０にフリップチップ実装し、この接続部を樹脂封止材４０で樹脂封止した。
【００１５】
なお図３（ａ）に示す実施例は、半導体チップ１０の実装面（チップ下面）にある電極１とは別の場所を、実装面（チップ下面）に沿って開口するようにスリットを形成し、実装面（チップ下面）に対して略平行に延びる流路２を形成したものである。
また図３（ｂ）に示す実施例は、チップ側面に沿って開口するようにスリットを形成し、実装面（チップ下面）に対して略垂直に延びる流路２を形成したものである。
【００１６】
図４は、図３に示す半導体チップ１０に形成した流路２の例を示す図である。
図４（ａ）に示す半導体チップは、半導体チップ１０の４隅に、実装面（チップ下面）に対して略平行に延びる貫通孔を形成し、流路２ｅとしたものである。
図４（ｂ）に示す半導体チップは、実装面（チップ下面）に沿ってスリット（溝）を形成し、実装面（チップ下面）に対して略平行に延びる流路２ｆを形成したものである。
図４（ｃ）及び（ｄ）に示す半導体チップは、チップ側面に沿ってスリット（溝）を形成し、実装面（チップ下面）に対して略平行に延びる流路２ｇ，２ｈを形成したものである。
【００１７】
この実施例による樹脂封止方法でも実施例１と同様に、流路２を備える半導体チップ１０をメンブレムスイッチ基板やフレキシブル基板などの回路基板２０に実装するにあたって、半導体チップ１０の実装面（チップ下面）にある電極１と、回路基板２０の導体２１とを導電性接着剤３０を介して接続した後、前記導電性接着剤３０による接続の信頼性を確保するために、接続部周辺に樹脂封止材４０を供給して樹脂封止する。
このとき、樹脂封止材４０を流路２内に流入して充填するとともに、接続部周辺を樹脂封止材４０でコーティングし、この樹脂封止材４０を熱硬化することにより、導電性接着剤３０を介して接続した半導体チップ１０と回路基板２０との接続部を樹脂封止した。
【００１８】
そして、１実施例と同様にこの実施例でも、熱膨張によって発生する応力に対して略垂直に対向する壁面を有する流路２を半導体チップ１０に形成するにあたって、より大きな応力が発生する方向に対して略垂直に対向する壁面を有する流路２を形成し、このより大きな応力に略垂直に対向する壁面を有する流路２を備える半導体チップ１０を回路基板２０に搭載して樹脂封止することによって、熱膨張による応力が前記流路２の壁面にかかるように構成することが好ましく、これによって第１実施例と同様な効果が得られる。
【００１９】
なお図３に示す実施例のように、実装面（チップ下面）に対して略平行に延びる流路２を備える半導体チップ１０では、回路基板２０に対して水平方向にはたらく応力に対向する壁面（流路２の壁面）と、回路基板２０に対して垂直方向にはたらく応力に対して対向する壁面（流路２の壁面）とを備えるため、回路基板２０に対して水平方向にはたらく応力だけでなく、垂直方向にはたらく応力に対しても対応することができる。
【図面の簡単な説明】
【００２０】
【図１】この発明の第１実施例による電子部品の封止方法を説明する図である。
【図２】図１に示す封止方法で用いた電子部品の例を示す図である。
【図３】この発明の第２実施例による電子部品の封止方法を説明する図である。
【図４】図３に示す封止方法で用いた電子部品の例を示す図である。
【図５】従来技術による電子部品の封止方法を説明する図である。
【符号の説明】
【００２１】
１    電極
２，２ａ，２ｂ，２ｃ，２ｄ，２ｅ，２ｆ，２ｇ，２ｈ    流路
１０  半導体チップ
２０  回路基板
２１  導体
３０  導電接着剤
４０  樹脂封止材
【図２】
2005135997.tif 000003
【図１】
2005135997.tif 000004
【図３】
2005135997.tif 000005
【図４】
2005135997.tif 000006
【図５】
2005135997.tif 000007